(57)【要約】【課題】  端子のセルへの装着の作業性を改善できる燃料電池用セル電圧モニター装置と該モニター装置のセルへの取付け方法の提供。【解決手段】  （１）複数のセル電圧モニター端子２と、複数の導線３と、複数の導線３を内蔵した、柔軟性をもつ樹脂シート４と、を備えた燃料電池用セル電圧モニター装置１。（２）燃料電池用セル電圧モニター装置１の、複数のセル電圧モニター端子２の先端部２ａを、同時に、スタック化されたモジュールの端子取付け穴５に挿入する工程と、各セル電圧モニター端子２をそれに対応するモジュールの端子取付け穴５に押し込む工程と、を有する燃料電池用セル電圧モニター装置１の燃料電池スタック２３への取付け方法。【選択図】        図１
2005293924.tif 000002
【特許請求の範囲】
【請求項１】
複数のセル電圧モニター端子と、
各導線が各セル電圧モニター端子に接続された複数の導線と、
前記複数の導線を内蔵した、柔軟性をもつ樹脂シートと、
を備えた燃料電池用セル電圧モニター装置。
【請求項２】
前記樹脂シートが互いに独立な複数の枝部と、該複数の枝部を互いに連結する連結部と、該連結部に接続された集合部とを有する請求項１記載の燃料電池用セル電圧モニター装置。
【請求項３】
前記樹脂シートの前記複数の枝部の各枝部の根本部がくびれている請求項２記載の燃料電池用セル電圧モニター装置。
【請求項４】
各セル電圧モニター端子がバナナ端子からなる請求項１記載の燃料電池用セル電圧モニター装置。
【請求項５】
前記セル電圧モニター端子とモジュールの端子取付け穴との一方に凸部が形成され他方に前記凸部を受け入れる凹部が形成されている請求項１記載の燃料電池用セル電圧モニター装置。
【請求項６】
前記セル電圧モニター端子が先細りとなっている請求項１記載の燃料電池用セル電圧モニター装置。
【請求項７】
先端部が先細りの複数のセル電圧モニター端子に接続される複数の導線を内蔵した樹脂製シートを有する燃料電池用セル電圧モニター装置の、前記複数のセル電圧モニター端子の先端部を、同時に、スタック化されたモジュールの端子取付け穴に挿入する工程と、
前記複数のセル電圧モニター端子の各セル電圧モニター端子をそれに対応するモジュールの端子取付け穴に押し込む工程と、
を有する燃料電池用セル電圧モニター装置の燃料電池スタックへの取付け方法。
【発明の詳細な説明】
【技術分野】
【０００１】
本発明は、燃料電池の各セル電圧をモニタするための燃料電池用セル電圧モニター装置とその燃料電池スタックへの取付け方法に関する。
【背景技術】
【０００２】
燃料電池、たとえば固体高分子電解質型燃料電池は、膜−電極アッセンブリ（ＭＥＡ：Membrane-Electrode Assembly ）とセパレータとの積層体（ただし、積層方向は任意でよい）からなる。膜−電極アッセンブリは、イオン交換膜からなる電解質膜とこの電解質膜の一面に配置された触媒層からなる電極（アノード、燃料極）および電解質膜の他面に配置された触媒層からなる電極（カソード、空気極）とからなる。膜−電極アッセンブリとセパレータとの間には、アノード側、カソード側にそれぞれ拡散層が設けられる。セパレータには、アノードに燃料ガス（水素）を供給するための燃料ガス流路が形成され、カソードに酸化ガス（酸素、通常は空気）を供給するための酸化ガス流路が形成されている。膜−電極アッセンブリとセパレータを重ねてセルを構成し、少なくとも１つのセルからモジュールを構成し、モジュールを積層してセル積層体とし、セル積層体のセル積層方向両端に、ターミナル、インシュレータ、エンドプレートを配置し、セル積層体をセル積層方向に締め付け、セル積層方向に延びる締結部材（たとえば、テンションプレート）、ボルト・ナットにて固定して、スタックを構成する。
各セルの、アノード側では、水素を水素イオン（プロトン）と電子にする電離反応が行われ、水素イオンは電解質膜中をカソード側に移動し、カソード側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水を生成するつぎの反応が行われ、かくして発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【０００３】
各セル毎に、または複数のセル毎に、セルで正常な発電が行われていることを確認するとともに、セル電圧に基づいて反応ガスの流量制御を行ったり、異常電圧の場合にモータにガードをかけるために、セル電圧がモニタされる。
特開２００２−１２４２８５号公報は、燃料電池のセパレータへ挿入可能な電圧測定端子を、複数セル分まとめて樹脂製の櫛歯状の支持プレートに装着し、複数端子を同時に複数のセルの端子取付け穴に差し込むモニタピン端子取付け構造を開示している。
また、特開平９−２８３１６６号公報は、複数のコードにバナナクリップからなるモニタピン端子を取付け、１本１本のモニタピン端子をセルの端子取付け丸穴に差しこむ端子取付け構造を提案している。
【特許文献１】特開２０００−１２４２８５号公報
【特許文献２】特開平９−２８３１６６号公報
【発明の開示】
【発明が解決しようとする課題】
【０００４】
しかし、上記の燃料電池のモニタピン端子取付け構造には、つぎの問題があった。
１）特開２００２−１２４２８５号公報に開示の構造の問題
セルを積層してスタックを構成した場合、各セルの厚みにばらつきがあるので、セルの端子取付け穴のピッチが一定にならず、剛性のある櫛歯状の支持プレートに装着した複数端子のピッチと合わない場合が生じる。その場合は、複数端子を同時に複数のセルの端子取付け穴に差し込むことが困難になり、電圧モニター端子の挿入の作業性が低下する。また、電圧モニター端子のセル穴との接圧が均一にならなくなり、電圧モニター精度が低下する。
２）特開平９−２８３１６６号公報に開示の構造の問題
１本１本のモニタピンの挿入作業となり、端子の挿入作業性が低下する。また、端子に接続されたコードが多数存在して絡まりやすいため、端子の挿入作業性が一層低下する。また、バナナクリップからなるモニタピン端子がセルの穴から抜けやすく、セルへの固定の信頼性が比較的低い。
【０００５】
本発明の目的は、端子のセルへの装着の作業性を改善できる燃料電池用セル電圧モニター装置と該モニター装置のセルへの取付け方法を提供することにある。
本発明の目的は、端子のセルへの装着の作業性を改善でき、かつ、端子のセルへの固定を従来より確実化できる燃料電池用セル電圧モニター装置と該モニター装置のセルへの取付け方法を提供することにある。
【課題を解決するための手段】
【０００６】
上記目的を達成する本発明はつぎの通りである。
（１）  複数のセル電圧モニター端子と、
各導線が各セル電圧モニター端子に接続された複数の導線と、
前記複数の導線を内蔵した、柔軟性をもつ樹脂シートと、
を備えた燃料電池用セル電圧モニター装置。
（２）  前記樹脂シートが互いに独立な複数の枝部と、該複数の枝部を互いに連結する連結部と、該連結部に接続された集合部とを有する（１）記載の燃料電池用セル電圧モニター装置。
（３）  前記樹脂シートの前記複数の枝部の各枝部の根本部がくびれている（２）記載の燃料電池用セル電圧モニター装置。
（４）  各セル電圧モニター端子がバナナ端子からなる（１）記載の燃料電池用セル電圧モニター装置。
（５）  前記セル電圧モニター端子とモジュールの端子取付け穴との一方に凸部が形成され他方に前記凸部を受け入れる凹部が形成されている（１）記載の燃料電池用セル電圧モニター装置。
（６）  前記セル電圧モニター端子が先細りとなっている（１）記載の燃料電池用セル電圧モニター装置。
（７）  先端部が先細りの複数のセル電圧モニター端子に接続される複数の導線を内蔵した樹脂製シートを有する燃料電池用セル電圧モニター装置の、前記複数のセル電圧モニター端子の先端部を、同時に、スタック化されたモジュールの端子取付け穴に挿入する工程と、
前記複数のセル電圧モニター端子の各セル電圧モニター端子をそれに対応するモジュールの端子取付け穴に押し込む工程と、
を有する燃料電池用セル電圧モニター装置の燃料電池スタックへの取付け方法。
【発明の効果】
【０００７】
上記（１）の燃料電池用セル電圧モニター装置では、複数のセル電圧モニター端子に接続された複数の導線を柔軟性をもつ単一の樹脂シートに内蔵したので、複数端子を同時にセルの端子取付け穴に挿入でき、１本１本挿入する場合に比べて挿入の作業性が向上する。また、剛性のある櫛歯状に支持した場合と異なり、単一の樹脂シートに導線を内蔵した場合は、複数のセル電圧モニター端子のピッチを容易にセルの端子取付け穴に合わせて調整できるため、複数のセル電圧モニター端子の複数のセルの端子取付け穴への挿入作業性が向上し、かつセル電圧モニター端子と取付け穴との接圧も均一化でき、片当たりもなくなる。
上記（２）の燃料電池用セル電圧モニター装置では、樹脂シートが複数の枝部と該複数の枝部を互いに連結する連結部を備えているので、複数のセル電圧モニター端子をまとめて取り扱うことができ、セル電圧モニター端子の、セルの端子取付け穴への挿入の作業性が向上する。
上記（３）の燃料電池用セル電圧モニター装置では、複数の枝部の各枝部の根本部がくびれているので、くびれで枝部が容易に変形でき、セルの端子取付け穴のピッチが変わってもセル電圧モニター端子が容易に追随できる。
上記（４）の燃料電池用セル電圧モニター装置では、各セル電圧モニター端子がばなな端子のため、セル電圧モニター端子の、セルの端子取付け穴との接圧が過大となるのを抑制できる。
上記（５）の燃料電池用セル電圧モニター装置では、凸部が凹部に嵌まることによって端子の抜け外れが防止され、セル電圧モニター端子のセルへの固定が確実となる。
上記（６）の燃料電池用セル電圧モニター装置では、セル電圧モニター端子が先細りとなっているので、セルの端子取付け穴のピッチがばらついても、複数のセル電圧モニター端子の先端をそれぞれのセルの端子取付け穴に容易に挿入することができる。
上記（７）の燃料電池用セル電圧モニター装置の燃料電池スタックへの取付け方法では、セル電圧モニター端子の先細りの端部を複数一度に取付け穴に挿入でき、ついでセル電圧モニター端子を取付け穴に押し込むだけで取付け穴に固定できるので、セル電圧モニター端子のセルへの取付け作業が容易であり、かつ、固定も確実となる。
【発明を実施するための最良の形態】
【０００８】
以下に、本発明の燃料電池用セル電圧モニター装置とその燃料電池スタックへの取付け方法を図１〜図９を参照して説明する。図中、図５は本発明の実施例１を示し、図６は本発明の実施例２を示し、図１〜図４と図７〜図９は本発明の実施例１にも実施例２にも適用可能である。本発明の実施例１、実施例２に共通する部分には、実施例１、実施例２にわたって同じ符号を付してある。
まず、本発明の実施例１、実施例２に共通する部分を、図１〜図５、図７〜図９を参照して説明する。
【０００９】
本発明の燃料電池用セル電圧モニター装置とその燃料電池スタックへの取付け方法が適用される燃料電池は、たとえば固体高分子電解質型燃料電池１０である。該燃料電池１０は、たとえば燃料電池自動車に搭載される。ただし、自動車以外に用いられてもよい。
図７〜図９に示すように、固体高分子電解質型燃料電池１０は、膜−電極アッセンブリ（ＭＥＡ：Membrane-Electrode Assembly ）とセパレータ１８との積層体からなる。積層方向は任意である。膜−電極アッセンブリは、イオン交換膜からなる電解質膜１１と、この電解質膜の一面に配置された触媒層を有する電極（アノード、燃料極）１４および電解質膜１１の他面に配置された触媒層を有する電極（カソード、空気極）１７とからなる。膜−電極アッセンブリとセパレータ１８との間には、アノード側、カソード側に、それぞれ、拡散層１３、１６が設けられる。
膜−電極アッセンブリとセパレータ１８を重ねてセル（単セル）１９を構成し、少なくとも１つのセルからモジュールを構成し、モジュールを積層してセル積層体とし、セル積層体のセル積層方向両端に、ターミナル２０、インシュレータ（電気絶縁体）２１、エンドプレート２２を配置し、セル積層体をセル積層方向に締め付け、セル積層体の外側でセル積層方向に延びる締結部材（たとえば、テンションプレート２４）、ボルト・ナット２５にて固定して、燃料電池スタック２３を構成する。
【００１０】
ＭＥＡを挟む一対のセパレータ１８のうち、アノード側のセパレータ１８には、ＭＥＡに対向する側に、アノード１４に燃料ガス（水素）を供給するための燃料ガス流路２７が形成され、カソード側のセパレータ１８には、ＭＥＡに対向する側に、カソード１７に酸化ガス（酸素、通常は空気）を供給するための酸化ガス流路２８が形成されている。また、セパレータ１８のガス流路２７、２８と反対側の面には冷媒（通常、冷却水）を流すための冷媒流路２６が形成される。燃料電池のうちガス流路２７、２８とＭＥＡの両方が存在する領域が、セル１９の発電領域を構成する。
【００１１】
セル１９には、セル積層方向に延びる燃料ガスマニホールド３０、酸化ガスマニホールド３１、冷媒マニホールド２９が形成される。燃料ガスマニホールド３０は燃料ガス流路２７に接続しており、燃料ガス流路２７に燃料ガスを供給・排出する。酸化ガスマニホールド３１は酸化ガス流路２８に接続しており、酸化ガス流路２８に酸化ガスを供給・排出する。冷媒マニホールド２９は冷媒流路２６に接続しており、冷媒流路２６に冷媒を供給・排出する。
【００１２】
セル１９のＭＥＡを挟んで対向する一対のセパレータ１８同士は、セル外周部およびマニホールド２９、３０、３１まわりで、電気絶縁材である接着剤３３によりシール接着されている。接着剤３３は膜１１とその両側のセパレータ１８との間もシール接着している。セル１９同士は、セル外周部およびマニホールド２９、３０、３１まわりで、ガスケット（ゴムガスケット）３２によりシールされている。各セルのシール接着されたセパレータ１８同士は、分離はできないが、ガスケット３２を挟んで対向する隣接するセルのセパレータ１８同士は互いに分離自在である。
【００１３】
セパレータ１８は、カーボンセパレータ、または導電性樹脂セパレータ、またはメタルセパレータと樹脂フレームとの組み合わせ、あるいはこれらの組み合わせからなる。
図１〜図５に示すように、燃料電池１０のセルでの電圧を測定するために、燃料電池スタック２３には、燃料電池用セル電圧モニター装置１が取付けられる。
燃料電池用セル電圧モニター装置１は、複数のセル電圧モニター端子（以下、単にモニター端子という）２と、複数の導線３（該複数の導線３の各導線が各セル電圧モニター端子２に接続される）と、該複数の導線３を内蔵した、柔軟性をもつ樹脂シート４と、を備えている。
モニター端子２は各セルのアノード側セパレータまたはカソード側セパレータに設けられた端子取付け穴５（該穴５はスタック幅より幅狭のテンションプレート２４で覆われていない部位のセルのセパレータに設けられる）に挿入されてセルに着脱可能に固定され、樹脂シート４は燃料電池スタック２３の上下テンションプレート２４の上テンションプレートの上面に固定され、燃料電池スタックごとケーシング６に入れられ、導線３にカップリングにて接続された複数導線を有する配線７にて、ケーシング６外に配置されたＰＣＵ（パワーコントロールユニット）８に接続され、モニター端子２の検出信号がＰＣＵ８に伝えられる。
【００１４】
樹脂シート４はシート状またはフィルム状である。
樹脂シート４は、互いに独立な複数の枝部４ａと、複数の枝部４ａを互いに連結する連結部４ｂと、連結部４ｂに接続された集合部４ｃとを有する。
各枝部４ａには１本づつ導線３が内蔵されており、各枝部４ａの連結部４ｂと反対側の端部にモニター端子２が取り付けられ、各モニター端子２は導線３に電気的に接続されている。各導線３は、互いに独立に（連結部４ｂ、集合部４ｃ内で各導線３は互いに独立）、連結部４ｂ、集合部４ｃを通って、ＰＣＵ８に接続している。樹脂シート４は集合部４ｃにて上テンションプレート２４の上面に固定される。
【００１５】
樹脂シート４の複数の枝部４ａの各枝部の根本部４ｄがくびれており、幅が狭くなっている。樹脂シート４はシート状またはフィルム状のため、枝部４ａは柔軟性を有し、シート４の面内方向にも屈曲できるが、根本部４ｄがくびれているため、根本部４ｄから先の部分が根本部４ｄを中心にして首振り変形可能であり、それによって、各モニター端子２はシート４の面内方向に位置を変位でき、セル厚みのばらつきによる端子取付け穴５の位置のばらつきに容易に対応できる。
【００１６】
各モニター端子２は、樹脂シート４の枝部４ａに対してシート４の面と直交する方向に延びている。各モニター端子２はバナナ端子（軸方向スリットが端子周方向に複数設けられた端子）からなる。
モニター端子２とセルモジュールのセパレータの端子取付け穴５との一方に凸部９Ａが形成され他方に凸部９Ａを受け入れる凹部９Ｂが形成されている。図示例では、凸部９Ａがモニター端子２側に設けられ、凹部９Ｂが端子取付け穴５側に設けられた場合を示したが、これとは逆に凸部９Ａが端子取付け穴５側に設けられ、凹部９Ｂがモニター端子２側に設けられてもよい。                                                              モニター端子２の、端子取付け穴５に挿入される側の端部２ａは、が先細りとなっている。
【００１７】
本発明の燃料電池用セル電圧モニター装置１の燃料電池スタック２３への取付け方法は、先端部２ａが先細りの複数のモニター端子２に接続される複数の導線３を内蔵した樹脂製シート４を有する燃料電池用セル電圧モニター装置１の、複数のモニター端子２の先端部２ａを、同時に、スタック化されたモジュールの端子取付け穴５に挿入する工程と、複数のモニター端子２の各モニター端子２をそれに対応するモジュールの端子取付け穴５に押し込む工程と、を有する。
各モニター端子２をそれに対応するモジュールの端子取付け穴５に押し込む場合、モニター端子２と端子取付け穴５の一方に設けた凸部９Ａが他方に設けた凹部９Ｂに嵌まるまで押し込む。
【００１８】
つぎに、本発明の燃料電池用セル電圧モニター装置１とその燃料電池スタック２３への取付け方法の、実施例１と実施例２に共通する部分の作用・効果を説明する。
まず、複数のモニター端子２に接続された複数の導線３を柔軟性をもつ単一の樹脂シート４に内蔵したので、複数端子２を同時にセルの端子取付け穴５に挿入でき、１本１本挿入する場合（たとえば、特開平９−２８３１６６号公報の場合）に比べて挿入の作業性が向上する。また、剛性のある櫛歯状に支持した場合（特開２０００−１２４２８５号公報）と異なり、樹脂シート４に導線３を内蔵した場合は、枝部２ａが柔軟性をもつので複数のモニター端子２のピッチを容易にセルの端子取付け穴５に合わせて調整できるため、複数のモニター端子２の複数のセルの端子取付け穴５への挿入作業性が向上する。また、モニター端子２と端子取付け穴５との接圧も均一化でき、片当たりもなくなる。その結果、モニター端子２による電圧検出精度も高くなる。もしも、特開２０００−１２４２８５号公報のような剛性をもつ櫛歯状プレートに端子を支持した場合、櫛歯状プレートを変形させて端子を端子取付け穴に挿入すると、端子が端子取付け穴の内面に片当たりし、当たらない方の面では接触抵抗が大になって、電圧検出精度が低下する。しかし、本発明では樹脂シート４がほとんど剛性をもたないので、モニター端子２と端子取付け穴５との接圧も均一化できる。
【００１９】
また、樹脂シート４が複数の枝部４ａと該複数の枝部４ａを互いに連結する連結部４ｂを備えているので、複数端子２をまとめて取り扱うことができ、１本１本挿入する場合（たとえば、特開平９−２８３１６６号公報の場合）に比べて、端子２の、セルの端子取付け穴５への挿入の作業性が向上する。
【００２０】
また、樹脂シート４の複数の枝部４ａの各枝部４ａの根本部４ｄが（枝部の幅方向に）くびれているので、くびれ４ｄで枝部４ａがシート４の面内方向に容易に変形でき、セルの端子取付け穴５のピッチがセル厚みのばらつきによって変わっても、端子２が容易に追随できる。その結果、端子２を容易に端子取付け穴５に挿入できる。
【００２１】
また、各モニター端子２がスリット入りのバナナ端子のため、端子２が半径方向に弾性的に拡縮でき、端子２の、セルの端子取付け穴５との接圧が過大となるのを抑制できる。これによって、カーボンセパレータ１８の端子取付け穴５が割れるのを防止できる。また、均一な接圧が得られることによって、電圧検出精度も均一化する。
【００２２】
また、凸部９Ａが凹部９Ｂに嵌まることによってモニター端子２を端子取付け穴５に固定する構造としたので、モニター端子２の抜け外れが防止され、各モニター端子２のセルのセパレータ１８への固定が確実となる。ただし、強く引き抜くと、凸部９Ａが凹部９Ｂから外れて、モニター端子２を端子取付け穴５から抜くことができ、着脱可能構造となっている。
また、モニター端子２が先細りとなっているので、セルの端子取付け穴５のピッチがばらついても、複数のモニター端子２の先端をそれぞれのセルの端子取付け穴５に容易に挿入することができる。
【００２３】
また、本発明の燃料電池用セル電圧モニター装置１の燃料電池スタック２３への取付け方法では、モニター端子２の先細りの端部を複数一度に端子取付け穴５に挿入でき、ついでモニター端子２を取付け穴５に押し込むだけで端子取付け穴５に固定できるので、モニター端子２のセルへの取付け作業が容易であり、かつ、固定も確実となる。一度に挿入できるモニター端子の数（複数）は任意である（２個以上、たとえば１０個程度でも、全部でも可）。
【００２４】
つぎに、本発明の各実施例に特有な部分を説明する。
本発明の実施例１では、図５に示すように、モニター端子２が凸部９Ａを有し、バナナ端子の軸方向スリットが、モニター端子２の軸方向全長にわたって設けられるのではなく、凸部９Ａ（凸部９Ａの軸方向全長）だけに設けられている。凹部９Ｂは、セパレータ１８の端子取付け穴５に設けられている。
凸部９Ａにスリットを設けたため、凸部９Ａは半径方向に弾性変形できる。その結果、凸部９Ａは端子取付け穴５のうち凹部９Ｂまでの部分（凹部９Ｂよりは小径の部分）を縮径状態で容易に通りすぎ、したがって、軽い力で挿入でき、凹部９Ｂに到達することができる。また、凸部９Ａが凹部９Ｂに到達すると凸部９Ａが弾性的に拡径して凹部９Ｂからの抜けを防止するとともに、適正な接圧で凹部９Ｂ内面と接触する。その結果、必要な導電性が得られて電圧検出精度も高い。また、過大な力をセパレータ１８にかけないので、セパレータ１８が欠けることもない。
【００２５】
本発明の実施例２では、図６に示すように、モニター端子２が凸部９Ａを有し、バナナ端子の軸方向スリットが、モニター端子２の軸方向全長にわたって、設けられている。スリットは、凸部９Ａと凸部９Ａ以外の部分との両方に設けられている。凹部９Ｂは、セパレータ１８の端子取付け穴５に設けられている。
バナナ端子の全長にスリットを設けたため、モニター端子２はスリットがある部分の全長にわたって、半径方向に弾性変形できる。その結果、モニター端子２の端子取付け穴５への挿入が実施例１より軽い力で行われる。また、モニター端子２のはスリットのある部分のほぼ全長で端子取付け穴５の内面に接触するようになる。その結果、必要な導電性が得られて電圧検出精度も高い。また、過大な力をセパレータ１８にかけないので、セパレータ１８が欠けることもない。
【図面の簡単な説明】
【００２６】
【図１】本発明の燃料電池用セル電圧モニター装置と燃料電池スタックの一部の平面図である。
【図２】本発明の燃料電池用セル電圧モニター装置と燃料電池スタックの一部の斜視図である。
【図３】図１のＡ−Ａ断面図である。
【図４】図３のＢ部の拡大断面図である。
【図５】本発明の実施例１の燃料電池用セル電圧モニター装置と燃料電池スタックの一部の拡大断面図である。
【図６】本発明の実施例２の燃料電池用セル電圧モニター装置と燃料電池スタックの一部の拡大断面図である。
【図７】本発明の燃料電池用セル電圧モニター装置が取付けられる燃料電池スタックの側面図である。
【図８】図７の燃料電池スタックの一部の拡大断面図である。
【図９】図７の燃料電池スタックのセルの正面図である。
【符号の説明】
【００２７】
１  燃料電池用セル電圧モニター装置
２  セル電圧モニター端子
２ａ  端部
３  導線
４  樹脂シート
４ａ  枝部
４ｂ  連結部
４ｃ  集合部
５  端子取付け穴
６  ケーシング
７  配線
８  ＰＣＵ
９Ａ  凸部
９Ｂ  凹部
１０  （固体高分子電解質型）燃料電池
１１  電解質膜
１３、１６  拡散層
１４  電極（アノード、燃料極）
１７  電極（カソード、空気極）
１８  セパレータ
１９  セル
２０  ターミナル
２１  インシュレータ
２２  エンドプレート
２３  スタック
２４  締結部材（テンションプレート）
２５  ボルト
２６  冷媒流路（冷却水流路）
２７  燃料ガス流路
２８  酸化ガス流路
２９  冷媒マニホールド（冷却水マニホールド）
３０  燃料ガスマニホールド
３１  酸化ガスマニホールド
３２  ガスケット
３３  接着剤（接着剤層）
【図１】
2005293924.tif 000003
【図２】
2005293924.tif 000004
【図３】
2005293924.tif 000005
【図４】
2005293924.tif 000006
【図５】
2005293924.tif 000007
【図６】
2005293924.tif 000008
【図７】
2005293924.tif 000009
【図８】
2005293924.tif 000010
【図９】
2005293924.tif 000011